(57)【特許請求の範囲】
【請求項１】
雄雌の差し込み接続可能な一対のコネクタのうち一方のコネクタに設けられたロック用係合ばねを他方のコネクタに形成したロック用係合孔に係合させてコネクタ同士の接続状態を維持するフリクションロック方式のコネクタ接続構造において、
前記ロック用係合ばねを前記ロック用係合孔側に押し付ける加圧手段と、前記ロック用係合ばねに対する加圧手段の押付け力を調整可能にする加圧調整手段とを備え、
前記加圧手段は、前記ロック用係合ばねに対して進退可能に設けられた加圧部材と、前記加圧部材の軸方向に設けられたラック部とを有し、
前記加圧調整手段は、前記ラック部と噛合するピニオンギヤと、一端を前記ピニオンギヤの操作部として外部に露出し、前記ピニオンギヤを軸支する軸部材とを有することを特徴とするコネクタ接続構造。
【請求項２】
請求項１に記載のコネクタ接続構造を筐体に有することを特徴とする電子機器。
【発明の詳細な説明】
【技術分野】
【０００１】
本発明は、コネクタ接続構造に関し、特に、フリクション方式のコネクタ接続構造に関する。
【背景技術】
【０００２】
一般に、ＵＳＢケーブル、ＨＤＭＩケーブル等において、挿抜の簡便性を重視したフリクションロック機構がコネクタに採用されている。
【０００３】
このフリクションロック機構は、一方のコネクタ、例えば雌側コネクタよりロック用係合ばねを突出させておき、他方のコネクタ、例えば雄側コネクタにはロック用係合ばねと係合するロック用係合孔を形成した状態となっている。
【０００４】
そして、雄側のコネクタを雌側のコネクタに差し込むと雌側のコネクタのロック用係合ばねが雄側のコネクタのロック用係合孔に係合し、雄側のコネクタを引っ張るとロック用係合ばねがロック用係合孔から外れて抜き取れるようになっている。
【０００５】
ところで、このようなフリクションロック機構を用いたケーブルを常設機器間の接続に使用した場合、本来はメリットである抜けやすさが、逆に脱落のおそれを招いている。
【０００６】
このため、ＵＳＢコネクタ近傍のＵＳＢケーブルを、ＵＳＢケーブルガイドを用いてクランク状に固定することで、ＵＳＢコネクタの脱落を防止する脱落防止機構が提案されている（特許文献１参照）。
【特許文献１】特開２００４−２２４６９号公報
【発明の開示】
【発明が解決しようとする課題】
【０００７】
しかしながら、このような脱落防止機構は、ＵＳＢケーブルに引っ張り方向の力が加わった場合に、ＵＳＢコネクタの嵌合部分に回転方向の力を加えることで、接触力を増加させて抜けにくくするもので、フリクションロック機構のロックそのものの力には何ら変化がなく、ある程度強い力が加われば容易に外れてしまうものである。
【０００８】
本発明の目的は、フリクションロック機構によるロック力を増加させて確実に脱落を防止することのできるコネクタ接続構造を提供することにある。
【課題を解決するための手段】
【０００９】
前記目的を達成するため、本発明のコネクタ接続構造は、雄雌の差し込み接続可能な一対のコネクタのうち一方のコネクタに設けられたロック用係合ばねを他方のコネクタに形成したロック用係合孔に係合させてコネクタ同士の接続状態を維持するフリクションロック方式のコネクタ接続構造において、
前記ロック用係合ばねを前記ロック用係合孔側に押し付ける加圧手段と、前記ロック用係合ばねに対する加圧手段の押付け力を調整可能にする加圧調整手段とを備え、
前記加圧手段は、前記ロック用係合ばねに対して進退可能に設けられた加圧部材と、前記加圧部材の軸方向に設けられたラック部とを有し、
前記加圧調整手段は、前記ラック部と噛合するピニオンギヤと、一端を前記ピニオンギヤの操作部として外部に露出し、前記ピニオンギヤを軸支する軸部材とを有することを特徴とする。
【００１０】
本発明によれば、加圧手段により直接ロック用係合ばねをロック用係合孔に押し付けることで、ロックの力を増加させることができ、コネクタの脱落を確実に防止することができる。
【００１２】
また、加圧調整手段により使用者が任意に押付け力を調整して使用目的に応じた押付け力に設定することができる。
【００２０】
さらに、軸部材の一端を操作してピニオンギヤを回転させ、ラック部を介して加圧部材をロック用係合ばねに対して進退させることで、容易にコネクタの脱落防止及び取り外しを行うことができる。
【００２１】
また、本発明においては、前記のいずれかに記載のコネクタ接続構造を筐体に有することを特徴とする電子機器とすることができる。
【発明を実施するための最良の形態】
【００２２】
以下、本発明の実施の形態について、図面を参照して説明する。
【００２３】
図１及び図２は、本発明の第１の実施の形態に係るコネクタ接続構造を示す図である。
【００２４】
このコネクタ接続構造はフリクション方式のＵＳＢケーブルの接続に用いるもので、図１に示すように、雌型コネクタ１０と、雄型コネクタ１２と、加圧手段１４と、加圧調整手段１６とを有している。
【００２５】
雌型コネクタ１０は、電子機器１８の筐体２０に予め取り付けられるようになっており、この雌型コネクタ１０の上面には２枚のロック用係合ばね２２が下方に向けて突出するように形成されている。
【００２６】
雄型コネクタ１２は、ＵＳＢケーブル（図示せず）の端部に取り付けられ、雌型コネクタ１０内に差し込み接続されるようになっている。
【００２７】
この雄型コネクタ１２の上面には、ロック用係合ばね２２対応位置に２つのロック用係合孔２４が形成され、雄型コネクタ１２が雌型コネクタ１０に差し込まれると、雌型コネクタ１０のロック用係合ばね２２が一旦雄型コネクタ１２の上面により上方に押し上げられて雄型コネクタ１２の通過を許し、雄型コネクタ１２が所定の位置まで押し込まれると、ロック用係合ばね２２の位置とロック用係合孔２４の位置が一致して、ロック用係合ばね２２が雄型コネクタ１２のロック用係合孔２４に入り込んで係合し、ロック状態となるようになっている。
【００２８】
また、雌型コネクタ１０に対して雄型コネクタ１２を引き抜く方向に力を加えると、雌型コネクタ１０のロック用係合ばね２２が雄型コネクタ１２の上面によって押し上げられてロック用係合孔２４との係合が解除され抜き取り可能にされるようになっている。
【００２９】
加圧手段１４は、筐体２０内に設けられ、雌型コネクタ１０のロック用係合ばね２２を雄型コネクタ１２のロック用係合孔２４側に押付け可能にするもので、この実施の形態では、加圧部材２６と、進退用ねじ部２８とを有している。
【００３０】
加圧部材２６は、棒状の部材からなるもので、筐体２０側の加圧部材ガイド３０に支持されて、ロック用係合ばね２２に対して上下方向で進退可能にされている。
【００３１】
また、この加圧部材２６は、図２に示すように、下部側面に縦方向のスリット３２を有し、このスリット３２が加圧部材ガイド３０側に形成した爪部３４と係合して加圧部材２６の回転が規制される。
【００３２】
進退用ねじ部２８は、加圧部材２６の上部が筒部３６として形成され、この筒部３６の内面に軸方向にわたって雌ねじとして形成されている。
【００３３】
加圧調整手段１６は、ロック用係合ばね２２に対する加圧手段２６の押付け力を調整可能にするもので、筐体２０内に調整軸３８と、調整用ねじ部４０とを有している。
【００３４】
調整軸３８は、一端の回転操作部４２を筐体２０の外部に露出し、調整用ねじ位置規制部４４に回転プレート４６を係合させて定位置で軸周りに回転可能にされ、下部側が加圧部材２６の筒部３６内に挿入されるようになっている。
【００３５】
調整用ねじ部４０は、調整軸３８の筒部３６内に挿入される部分の外表面に軸方向にわたって設けけられ、筒部３６の雌ねじと螺合する雄ねじとして形成されている。
【００３６】
したがって、雌型コネクタ１０内に雄型コネクタ１２を差込み、ロック用係合ばね２２が雄型コネクタ１２のロック用係合孔２４に入り込んで係合した状態で、調整軸３８の回転操作部４２を操作して調整軸３８を回転させ、調整軸３８の調整用ねじ部４０と螺合する進退用ねじ部２８を介して加圧部材２６を下降させると、加圧部材２６の先端がロック用係合ばね２２をロック用係合孔２４側に押し付けて確実なロック状態が得られることとなり、また加圧調整手段１６により適度な加圧状態を維持すれば、使用者の希望する加圧力でロックを行うことができる。
【００３７】
加圧調整手段１６により加圧手段１４の加圧を解除すれば、従前同様に雌コネクタ１０から雄コネクタ１２を容易に抜き取ることができる。
【００３８】
また、この実施の形態では、加圧部材２６のロック用係合ばね２２と接触する部分に弾性部材４８を設け、この弾性部材４８をロック用係合ばね２２と接触させることで、ロック用係合ばね２２の損傷を防止するようにしてある。
【００３９】
図３及び図４は、本発明の第２の実施の形態に係るコネクタ接続構造を示す図である。
【００４０】
この実施の形態では、加圧手段５０は、前記実施の形態と同様に、スリット３２及び加圧部材ガイド３０の爪部３４により、軸周りの回転が規制され、かつ、ロック用係合ばね２２に対して進退可能に設けられた加圧部材２６と、加圧部材２６の軸方向にわたって設けられた進退用ねじ部２８とを有している。
【００４１】
また、加圧調整手段５２は、進退用ねじ部２８と螺合する調整用ねじ部４０を有し、回転操作部５４を筐体２０の外部に露出し、ダイヤル位置規制部５６により定位置で軸周りに回転可能にされた調整用ダイヤル５８を有するものとしている。
【００４２】
したがって、調整用ダイヤル５８の回転操作部５４を回転させて、ロック用係合ばね２２に対して加圧部材２６を進退させることで、容易にコネクタの脱落防止及び取り外しを行うことができる。
【００４３】
他の構成及び作用は、前記実施の形態と同様につき説明を省略する。
【００４４】
図５及び図６は、本発明の第３の実施の形態に係るコネクタ接続構造を示す図である。
【００４５】
この実施の形態においては、加圧手段６０は、前記各実施の形態と同様に、スリット３２及び加圧部材ガイド３０の爪部３４により軸周りの回転が規制され、かつ、ロック用係合ばね２２に対して進退可能に設けられた加圧部材２６と、加圧部材２６の上部で軸方向にわたって設けられたラック部６４とを有している。
【００４６】
また、加圧調整手段６２は、ラック部６４と噛合するピニオンギヤ６６と、一端をピニオンギヤ６６の操作部６８として筐体２０の外部に露出し、ピニオンギヤ６６を軸支する軸部材７０とを有するものとしている。
【００４７】
したがって、軸部材７０の一端である操作部６８を操作してピニオンギヤ６６を回転させ、ラック部６４を介して加圧部材２６をロック用係合ばね２２に対して進退させることで、容易にコネクタの脱落防止及び取り外しを行うことができる。
【００４８】
他の構成及び作用は、前記各実施の形態と同様につき説明を省略する。
【００４９】
本発明は、前記各実施の形態に限定されるものではなく、本発明の要旨の範囲内において種々の形態に変形可能である。
【００５０】
例えば、前記各実施の形態においては、加圧手段の他に加圧調整手段を有するコネクタ接続構造について説明したが、これらの例に限定されるものではなく、加圧調整手段を有しないもの、例えば、図７（Ａ）に示すように、ロック用係合ばね２２を押し付けるカム部９２が一体に形成されたレバー９０を回転させることで押付け状態、押付け解除状態を選択できるようなもの、あるいは、図７（Ｂ）に示すように、棒状の部材９４を押し込むことによって付勢部１００が棒状の部材９４に設けられた略球状の係止部９６を付勢し弾性部材４８がロック用係合ばね２２を押付け状態でロックできるようなもの等を採用することも可能である。
【００５１】
また、前記各実施の形態では、雌型コネクタ及び雄型コネクタの各上面側にロック用係合ばね及びロック用係合孔を設けた場合について説明したが、これらを下面側に設けた場合にも適用することが可能である。
【図面の簡単な説明】
【００５２】
【図１】本発明の第１の実施の形態に係るコネクタ接続構造を示す断面図である。
【図２】図１のII-II線に沿う断面図である。
【図３】本発明の第２の実施の形態に係るコネクタ接続構造を示す断面図である。
【図４】図３の要部を示す斜視図である。
【図５】本発明の第３の実施の形態に係るコネクタ接続構造を示す正面側から見た断面図である。
【図６】図５の側面側から見た断面図である。
【図７】（Ａ）は加圧調整手段を用いずにカム部を有するレバーを用いた加圧手段を示す断面図、（Ｂ）は加圧調整手段を用いずに棒状部材を用いた加圧手段を示す断面図である。
【符号の説明】
【００５３】
１０  雌型コネクタ
１２  雄型コネクタ
１４、５０、６０  加圧手段
１６、５２、６４  加圧調整手段
２２  ロック用係合ばね
２４  ロック用係合孔
２６  加圧部材
２８  進退用ねじ部
３８  調整軸
４０  調整用ねじ部
４２、５４  回転操作部
４８  弾性部材
５８  調整用ダイヤル
６４  ラック部
６６  ピニオンギヤ
６８  操作部
７０  軸部材
【図１】
0005024538.tif 000002
【図２】
0005024538.tif 000003
【図３】
0005024538.tif 000004
【図４】
0005024538.tif 000005
【図５】
0005024538.tif 000006
【図７】
0005024538.tif 000007
【図６】
0005024538.tif 000008